(57)【要約】      （修正有）【課題】接続ポートと、フック部と、ロック部との組み合わせによって、構造の簡潔化や、組立容易、任意接続への防止、盗難の防止の利点を有するコネクタロックを提供する。【解決手段】収容空間と前記収容空間の一方の側面に位置するスライド槽とを有する接続ポート１と、少なくとも一つの固定端を有し、前記接続ポートの一方の端面に隣接し、且つ、少なくとも一つのフック２２１を有するフック部２と、板部材と、前記板部材の側縁に位置するバー部材３１とを有するロック部３とにより構成する。さらに、前記ロック部は、前記スライド槽の延在方向に沿って移動し、前記ロック部が第１位置に位置すると、前記バー部材が前記フックと接続し、前記ロック部が第２位置に位置すると、前記バー部材が前記フックから離脱されるように構成する。【選択図】図２
0003162596.tif 000002
【実用新案登録請求の範囲】
【請求項１】
収容空間と前記収容空間の一方の側面に位置するスライド槽とを有する接続ポートと、
少なくとも一つの固定端を有し、前記接続ポートの一方の端面に隣接し、且つ、少なくとも一つのフックを有するフック部と、
板部材と、前記板部材の側縁に位置するバー部材とを有するロック部とを含み、
前記ロック部は、前記スライド槽の延在方向に沿って移動し、前記ロック部が第１位置に位置すると、前記バー部材が前記フックと接続し、前記ロック部が第２位置に位置すると、前記バー部材が前記フックから離脱されるように構成されていることを特徴とするコネクタロックの構造。
【請求項２】
前記フック部のフックは、第１ガイド面を有し、前記ロック部の前記バー部材において前記第１ガイド面に対応する位置に第２ガイド面を有し、前記ロック部が前記スライド槽に沿って前記第１位置まで移動されると、前記フックを前記バー部材に結合させるように、前記フックの第１ガイド面が前記バー部材の前記第２ガイド面に沿って運動することを特徴とする請求項１に記載のコネクタロックの構造。
【請求項３】
前記フック部は片持ち構造であって、固定端と自由端とを備え、前記固定端が前記接続ポートの前記端面に隣接し、前記自由端は、少なくとも一つのフックを有することを特徴とする請求項１に記載のコネクタロックの構造。
【請求項４】
前記スライド槽内にスライド溝を有し、前記スライド溝が前記スライド槽の延在方向に沿って設けられ、前記スライド溝内にガイドを有することを特徴とする請求項１に記載のコネクタロックの構造。
【請求項５】
さらに、離間部材を有し、前記離間部材が前記スライド溝の延在方向に沿って進入し、前記ガイドにより案内され前記フック部の自由端に当接して押圧し、前記ロック部を前記第２位置に移動させることを特徴とする請求項４に記載のコネクタロックの構造。
【請求項６】
前記板部材は貫通孔を有し、前記離間部材は、前記貫通孔の傍側の板部材の壁面に当接されるための凸部を有することを特徴とする請求項５に記載のコネクタロックの構造。
【請求項７】
前記フック部の固定端が端子座の一方の端面に設けられ、前記端子座の当該端面が前記接続ポートの前記端面に対応することを特徴とする請求項１または２に記載のコネクタロックの構造。
【請求項８】
前記端子座は少なくとも一つの係止部材を含み、接続ポートの収容空間内に少なくとも一つの係合溝をさらに有し、前記係止部材が前記係合溝に対応され、前記端子座の前記端面が前記接続ポートの前記端面に当接される場合、前記端子座の前記係止部材が前記接続ポートの前記係合溝に結合することを特徴とする請求項７に記載のコネクタロックの構造。
【請求項９】
前記接続ポートは、前記収容空間の他方の側面に位置された複数のリード線をさらに有することを特徴とする請求項１に記載のコネクタロックの構造。
【請求項１０】
前記フック部は複数のリード線をさらに有し、前記フック部が前記接続ポートの前記端面に隣接されることを特徴とする請求項１に記載のコネクタロックの構造。
【請求項１１】
前記フック部の前記固定端は、前記接続ポートの前記端面に一体結合され、前記接続ポートは複数のリード線をさらに有し、前記複数のリード線が前記接続ポートの端面に延出されることを特徴とする請求項１または２に記載のコネクタロックの構造。
【請求項１２】
前記フック部の固定端は、前記接続ポートの端面に一体結合され、前記接続ポートは複数のリード線をさらに有し、前記複数のリード線が前記フック部の前記固定端から貫通されることを特徴とする請求項１または２に記載のコネクタロックの構造。
【請求項１３】
前記自由端と固定端との間には少なくとも一つの保護面が形成され、前記保護面は、フック部両側の傾斜面に位置され、前記フック部中心から両側に傾斜することを特徴とする請求項１に記載のコネクタロックの構造。
【請求項１４】
前記バー部材の両側にストッパをさらに有し、ロック部がスライド槽の延在方向に沿って移動されると、前記バー部材のストッパが前記接続ポートの壁面に当接され、ロック部の移動をストップさせることを特徴とする請求項１に記載のコネクタロックの構造。
【請求項１５】
前記ロック部のバー部材及び板部材は、一体成型された枠体であることを特徴とする請求項１に記載のコネクタロックの構造。
【考案の詳細な説明】
【技術分野】
【０００１】
本考案は、コネクタの構造に係り、特に、ネットワーク端子または電話回線端子に適用するコネクタロックの構造に関るものである。
【背景技術】
【０００２】
市街の建物の内部には電話回線、ネットワークケーブル及び電源線が埋設されている。特に、例えば、オフィスビルや商業ビル、ホテル等の商業用建物の内部においては様々な電線やケーブルが埋設されている。様々な電線やケーブルのコネクタは、美観を飾る一方で、使用し易くするように建物の壁面または床面に埋設されている。
【０００３】
例えば、インターネットに接続しようとする場合は、ネットワークケーブルでアクセス設備及びネットワーク接続ポートに接続するように、ユーザは、使用する際に設備に応じて孔の位置に対応すればよい。
一般にインターネットサービスが提供されるホテルでは、アクセス用接続ケーブルを、宿泊の間に個人用アクセス設備に直接に接続してアクセスできるサービスを宿泊客に提供している。
しかし、使用されているネットワーク接続ポート及び電話回線接続ポートは、いずれも、差し込めば直ちに利用可能なタイプである。そのため、接続ケーブルを着脱し易い反面、接続ケーブルを紛失するおそれがある。
【０００４】
本考案は以上の点に鑑み、構造の簡潔化、盗難への有効防止及び任意接続への防止且つ実施に便利なコネクタロックの構造を提供するものである。
【考案の概要】
【考案が解決しようとする課題】
【０００５】
本考案の主な目的は、接続ポートと、フック部と、ロック部との組み合わせによって、構造の簡潔化や、組立容易、任意接続への防止、盗難への有効防止且つ実施便利の利点を有するコネクタロックの構造を提供し、本考案の実用性、進歩性及び便利性を明らかに示すことにある。
【課題を解決するための手段】
【０００６】
前記目的を達成するため、本考案に係るコネクタロックの構造は、接続ポートと、フック部と、ロック部とを含む。前記接続ポートは、収容空間とスライド槽とを有し、前記スライド槽が前記収容空間の一方の側面に位置される。前記フック部は、少なくとも一つの固定端を有し、前記フック部は、前記接続ポートの一端面に隣接し、且つ、少なくとも一つのフックを有する。前記ロック部は、バー部材と板部材とを有し、前記バー部材が前記板部材の側縁に位置される。前記ロック部は、前記スライド槽の延在方向に沿って移動し、前記ロック部が第１位置に位置すると、前記バー部材が前記フックと接続し、前記ロック部の板部材と前記接続ポートの他方の端面とで障害になって、外部接続端子の任意挿入或いは接続ポート内に接続された接続端子が前記接続ポートからの脱落を防ぐことができる。前記ロック部が第２位置に位置すると、前記バー部材が前記フックから離脱され、前記ロック部の板部材が変位によってその先に前記接続ポートの他方の端面とで形成した障害を移除することになり、接続ポート内に接続された接続端子を前記接続ポートから離脱させ、或いは、外部接続端子を前記接続ポート内に差し込むことができる。
【図面の簡単な説明】
【０００７】
【図１】本考案に係るコネクタロックの構造の第１実施例の斜視図である。
【図２】本考案に係るコネクタロックの構造の第１実施例の分解斜視図である。
【図３】本考案に係るコネクタロックの構造の第１実施例の接続ポートの斜視図である。
【図４】本考案に係るコネクタロックの構造の第１実施例のフック部及び端子座の斜視図である。
【図５】本考案に係るコネクタロックの構造の第１実施例のロック部の斜視図である。
【図６】本考案に係るコネクタロックの構造の第１実施例のコネクタロックの構造の断面図である。
【図７】本考案に係るコネクタロックの構造の第１実施例の離間部材が接続ポートに挿入されロック部を連動する状態を示す図である。
【図７Ａ】本考案に係るコネクタロックの構造の第１実施例のロック部とフック部との接続状態を示す図である。
【図８】本考案に係るコネクタロックの構造の第１実施例の離間部材が接続ポートに移出されロック部を連動する状態を示す図である。
【図９】本考案に係るコネクタロックの構造の第１実施例の使用状態を示す断面図である。
【図１０】本考案に係るコネクタロックの構造の第１実施例の接続ケーブル、ロック部及び離間部材が接続ポートに挿入された状態を示す図である。
【図１０Ａ】本考案に係るコネクタロックの構造の第１実施例の接続ケーブルが接続ポートに挿入された第１状態を示す図である。
【図１０Ｂ】本考案に係るコネクタロックの構造の第１実施例の接続ケーブルが接続ポートに挿入された第２状態を示す図である。
【図１０Ｃ】本考案に係るコネクタロックの構造の第１実施例の接続ケーブルが接続ポートに挿入された第３状態を示す図である。
【図１１Ａ】本考案に係るコネクタロックの構造の第１実施例の接続ケーブルが接続ポートから移出された第１状態を示す図である。
【図１１Ｂ】本考案に係るコネクタロックの構造の第１実施例の接続ケーブルが接続ポートから移出された第２状態を示す図である。
【図１１Ｃ】本考案に係るコネクタロックの構造の第１実施例の接続ケーブルが接続ポートから移出された第３状態を示す図である。
【図１２】本考案に係るコネクタロックの構造の第２実施例の分解斜視図である。
【図１３】本考案に係るコネクタロックの構造の第２実施例の使用状態を示す図である。
【図１４】本考案に係るコネクタロックの構造の第３実施例の斜視図である。
【図１５】本考案に係るコネクタロックの構造の第３実施例の使用状態を示す断面図である。
【図１６】本考案に係るコネクタロックの構造の第４実施例の斜視図である。
【図１７】本考案に係るコネクタロックの構造の第４実施例の使用状態を示す断面図である。
【図１８Ａ】本考案に係るコネクタロックの構造の第５実施例の素子分解図である。
【図１８Ｂ】本考案に係るコネクタロックの構造の第５実施例の使用状態を示す断面図である。
【考案を実施するための形態】
【０００８】
図面を参照しながら本考案の特徴、技術内容について詳しく説明する。
尚、本考案は以降の実施例に限定されるものではない。
【０００９】
図１〜図６は、それぞれ、本考案に係るコネクタロックの構造の第１実施例の斜視図、分解斜視図、接続ポートの斜視図、フック部及び端子座の斜視図、ロック部の斜視図及びコネクタロックの構造の断面図を示したものである。
【００１０】
図１〜図６に示すように、コネクタロックの構造は、接続ポート１と、フック部２と、ロック部３と、離間部材４と、端子座５とを含む。
接続ポート１は、収容空間１１と、複数のリード線６１と、スライド槽１２と、端面１３と、少なくとも一つの係合溝１４とを備える。
スライド槽１２は、収容空間１１の一方の側面１１１に位置される。
スライド槽１２内にスライド溝１２１を有し、スライド溝１２１はスライド槽１２の延在方向に沿って設けられ、且つ、スライド溝１２１内にガイド１２２（図１３を同時に参照し）を備える。
複数のリード線６１は、収容空間１１の他方の側面１１２に位置される。
フック部２は、片持ち構造であって、固定端２１と自由端２２とを備える。
自由端２２と固定端２１との間に保護面２３が形成される。
保護面２３は、フック部２の両側の傾斜面に位置され、フック部２の中心から両側に傾斜する（実施の際に、保護面２３は弧曲面であっても良い）。
自由端２２は、上端２２０とフック２２１とをさらに備える。上端２２０は、収容空間１１の方向に突出部２２０１が延在され、且つ、上端２２０の断面は逆Ｌ字状である。
フック２２１は、自由端２２の中心位置に設けられ、且つ、フック２２１と自由端２２の上端２２０の突出部２２０１との間にピッチｄを有する。
フック２２１は、第１ガイド面２２１１を備える。
ロック部３は、バー部材３１と板部材３２とを備える。バー部材３１は、第２ガイド面３１１とストッパ３１２とを備える。バー部材３１は、板部材３２の側縁に位置される。第２ガイド面３１１の位置は、フック２２１の第１ガイド面２２１１に対応する（実施の際に、第１ガイド面２２１１及び第２ガイド面３１１は、斜面、弧曲面及び平面の何れか一方である）。
ストッパ３１２は、バー部材の両側に設けられ且つ板部材３２の二側辺から突出される。板部材３２は貫通孔３２１を備える。
【００１１】
離間部材４は、凸部４１と、第１Ｕ字状端４２と、第２Ｕ字状端４３とを備える。
第１Ｕ字状端４２と凸部４１とが離間部材４の一方の側に設けられる。
第２Ｕ字状端４３が離間部材４の他方の側に設けられる。
離間部材４の第１Ｕ字状端４２及び第２Ｕ字状端４３は、フック部２の自由端２２に当接するためのものである。
離間部材４の第１Ｕ字状端４２及び第２Ｕ字状端４３の厚さは同じである。且つ、離間部材４の第１Ｕ字状端４２の厚さがピッチｄより小さい。
第１Ｕ字状端４２は第１開口４２１を有し、第２Ｕ字状端４３は第２開口４３１を有する。該端子座５は、端面５１と少なくとも一つの係止部材５２とを備える。
【００１２】
ロック部３は、接続ポート１のスライド槽１２内に位置される。
ロック部３は、スライド槽１２の延在方向に沿って移動できる。
フック部２の固定端２１は、端子座５の端面５１に設けられ、端子座５の端面５１は、接続ポート１の端面１３に対応する。係止部材５２の位置は、接続ポート１の収容空間１１内の係合溝１４に対応する。
端子座５の端面５１が接続ポート１の端面１３に当接すると、端子座５の係止部材５２が接続ポート１の係合溝１４に結合される。
【００１３】
図７、図７A、図８、図９は、本考案に係るコネクタロックの構造の第１実施例の使用状態を示す図である。
図７、図７A、図８、図９に示すように、使用時に、接続ポート１が端子座５に結合された後に、ロック部３がスライド槽１２に沿って第１位置９１まで移動したときに、フック２２１の第１ガイド面２２１１及び第２ガイド面３１１は動かしバー部材３１に結合され、ロック部３の板部材３２と接続ポート１の他方の端面とで障害になって、外部接続端子の任意挿入或いは接続ポート１内に接続された接続端子が接続ポート１からの脱落を防ぐ。
ユーザ（図示せず）が接続ケーブル７を接続ポート１の収容空間１１内に差し込もうとする場合、ロック部３の板部材３２が接続ケーブル７の突出端７１と干渉を生じ、接続ケーブル７を接続ポート１の収容空間１１内に差し込むことができなくなる。
そのため、接続ケーブル７を接続ポート１の収容空間１１内に差し込もうとする場合、ロック部３の板部材３２が変位によってその先に接続ポート１の他方の端面とで形成した障害を移除するように、ロック部３を第２位置９２まで移動しなければならない。このように、接続ポート１内に接続された接続端子を接続ポート１から離脱させ、或いは、外部の接続端子を該続ポート１内に差し込むことができる。
そのため、接続ケーブル７の突出端７１がロック部３に連結可能になる。
【００１４】
まず、ユーザは、離間部材４の第１Ｕ字状端４２をスライド溝１２１内に挿入する必要がある。
第１Ｕ字状端４２がスライド溝１２１の延在方向に沿って接続ポート１内に移動するときに、ガイド１２２は第１Ｕ字状端４２の第１開口４２１内に入り、離間部材４を行進方向に案内する。
次に、第１Ｕ字状端４２がフック２２１を超えてフック部２の自由端２２の突出部２２０１の下方に当接すると、ユーザは、スライド溝１２１の延在方向に沿って離間部材４を押し続けて、離間部材４の第１Ｕ字状端４２がフック部２の自由端２２に力を付与するようになる。
押し力でフック部２の自由端２２を弾性変位させバー部材３１をフック２２１から離脱させ、その後、離間部材４の凸部４１は、板部材３２の貫通孔３２１内に滑り込まれる。
続いて、離間部材４をスライド溝１２１の延在方向に沿って接続ポート１の外側に移動するときに、離間部材４の凸部４１は、板部材３２を連動する。
離間部材４が引き続き変位すると、離間部材４の第１位置規制辺４２２が接続ポート１の壁面に当接され離間部材４の変位を停止させる。
ロック部３がスライド槽１２に沿って第２位置まで移動してフック２２１から離脱する。
ロック部３が第２位置まで変位されると、ロック部３のストッパ３１２が接続ポート１の壁面に当接され、ロック部３の移動続きを阻止できるので、ロック部３が接続ポート１から離脱され無くして使用上に不便になることはなくなる（実施の際に、ロック部３のバー部材３１と板部材３２とが一体形成された枠体であっても良い、或いは、板部材３２に接続ケーブル７の突出端７１に接続するための接続構造が設けられ、接続ケーブル７の離脱を防ぐことができる）。
【００１５】
図１０〜図１０Cは、本考案に係るコネクタロックの構造の第１実施例の接続ケーブルが接続ポートに差し込まれた第１状態から第３状態までを示す図である。
図１０〜図１０Cに示すように、使用時に、ロック部３がスライド槽１２に沿って第２位置９２まで移動された場合、ユーザは、接続ケーブル７の突出端７１をロック部３の貫通孔３２１内に挿入し（図１０Ａに示すように）、且つ、接続ケーブル７の突出端７１をロック部３の板部材３２に当接させ、接続ケーブル７を接続ポート１の収容空間１１内に差し込んだ（図１０Ｂに示すように）。その後、ロック部３をスライド槽１２に沿って第１位置９１まで移動し、ロック部３が第１位置９１に移動されると、接続ケーブル７を直接に抜けないようにロックすることができ、且つ、接続ケーブル７が弛めによる接続ポート１からの離脱を防止できる。ここまで、接続ケーブル７と接続ポート１の複数のリード線６１との接続が完了した（図１０及び図１０Ｃに示すように）。
【００１６】
図１１Ａ〜図１１Cは、本考案に係るコネクタロックの構造の第１実施例の接続ケーブルが接続ポートに取り出された第１状態から第３状態までを示す図である。
図１１Ａ〜図１１Cに示すように、使用時に、ユーザが接続ケーブル７を接続ポート１から抜き取ろうとするとき、ユーザは、まず、離間部材４の第２Ｕ字状端４３をスライド溝１２１内に挿入する必要があり（図１０及び図１１Ａに示すように）、第２Ｕ字状端４３をスライド溝１２１の延在方向に沿って接続ポート１内に移動して、フック部２の自由端２２に当接させる。
次に、ユーザは、離間部材４の第２Ｕ字状端４３がフック部２の自由端２２に力を付与するように、スライド溝１２１の延在方向に沿って離間部材４を押し続ける。
押し力でフック部２の自由端２２を弾性変位させバー部材３１をフック２２１から離脱させてから、離間部材４とともに接続ケーブル７をスライド溝１２１の延在方向に沿って接続ポート１の外に移動し（図１１Ｂに示すように）、接続ケーブル７がロック部３を連動して第２位置９２まで移動し、接続ケーブル７をロック部３の貫通孔３２１から取り出して抜き動作を完了した（図１１Ｃに示すように）。
【００１７】
また、接続ケーブル７が本考案のコネクタロックの構造内に接続されると、ユーザが針物でスライド溝１２１の延在方向に沿って接続ポート１内に移動する場合、該針物がフック部２の自由端２２の保護面２３に当接し、保護面２３が傾斜面であるため、該針物が自由端２２の保護面２３に押し力を付与すると、針物が保護面２３に沿って両側に滑り落ちてしまうので、自由端２２が弾性変位を生じず、バー部材３１がフック２２１とは離脱しない。
そのため、接続ケーブル７を本考案のコネクタロックの構造内から抜き取ることができない。
【００１８】
ユーザがシート状物でスライド溝１２１の延在方向に沿って接続ポート１内に移動する場合、該シート状物がスライド溝１２１のガイド１２２の阻止により自由端２２に当接することができなくなるので、バー部材３１をフック２２１から離脱することができない。
そのため、接続ケーブル７を本考案のコネクタロックの構造内から抜き取ることもできない。
【００１９】
よって、接続ケーブル７がコネクタロックの構造内に差し込まれると、フック部２のフック２２１とロック部３のバー部材３１との結合によって、接続ケーブル７とコネクタロックの構造とを接続することができる。
接続ケーブル７を接続ポート１から抜き取ろうとするとき、離間部材４を使用しないと、接続ケーブル７を接続ポート１から抜き取ることができないので、本考案に係るコネクタロックの構造は、接続ケーブル７の盗難防止及び任意接続への防止の目的を確実に達成できる。
【００２０】
図１２及び図１３は、それぞれ、本考案に係るコネクタロックの構造の第２実施例の分解斜視図及び使用状態を示す図である。
図１２及び図１３に示すように、本考案に係るコネクタロックの構造は、実際の製造工程において離型の必要に応じて各部品の配置を変えることができる。
そのうち、フック部２の固定端２１と複数のリード線６１とが一体に結合され、さらに、端子座５を組立部８（組立部８は、回路基板でよい）に結合する。
組立部８は組み合わせ端８１を有し、且つ、組み合わせ端８１の位置が接続ポート１の組み合わせ溝１５に対応し、フック部２が接続ポート１の端面１３に隣接した後に、組立部８の組み合わせ端８１を接続ポート１の組み合わせ溝１５内に挿着するような結合方式で、結合された端子座５及び組立部８を接続ポート１に結合させた。
第２実施例の他の部品の接続方式、機能及び使用状態は、第１実施例と同じであるので、ここでは説明を省略する。
【００２１】
図１４及び図１５は、それぞれ、本考案に係るコネクタロックの構造の第３実施例の斜視図及び使用状態を示す図である。
図１４及び図１５に示すように、フック部２の固定端２１と接続ポート１の端面１３とが一体に結合され、接続ポート１は、複数のリード線６１をさらに有し、複数のリード線６１は、接続ポート１の端面から延在された。
第３実施例の他の構造、離間部材４に合わせた使用状態は、第１実施例と同じであるので、ここでは説明を省略する。
【００２２】
図１６及び図１７は、それぞれ、本考案に係るコネクタロックの構造の第４実施例の斜視図及び使用状態を示す図である。
図１６及び図１７に示すように、フック部２の固定端２１と接続ポート１の端面１３とが一体に結合され、接続ポート１は、複数のリード線６１をさらに有し、複数のリード線６１は、フック部２の固定端２１から挿通された。
第４実施例の他の構造、離間部材４に合わせた使用状態は、第１実施例と同じであるので、ここでは説明を省略する。
【００２３】
図１８Ａ及び図１８Ｂは、それぞれ、本考案に係るコネクタロックの構造の第５実施例の使用状態を示す断面図である。
本実施例は、第１実施例と略同じであるので、ここで、繰り返し説明しない。第１実施例の各図に合わせて参照すると、その違いは以下のとおりある。
フック部２の自由端２２は、第１上端２２２と、第２上端２２３と、第１フック２２４と、第２フック２２５とを備える。
第１上端２２２及び第２上端２２３は、収容空間１１の方向に第１突出部２２２１及び第２突出部２２３１がそれぞれ延在される。
第１フック２２４及び第２フック２２５が自由端２２の第１上端２２２、第２上端２２３の第１突出部２２２１及び第２突出部２２３１との間に隙間ｄを有する。
ロック部３が第１位置９１に位置すると、第１フック２２４と第２フック２２５とがロック部３のバー部材３１に結合される。
フック部２は、第１フック２２４及び第２フック２２５を有するので、フック部２とロック部３との結合力をより強化できる。フック部２をロック部３から離脱しようとすると、離間部材４を使用しなければならない。
そのため、フック部２は、第１実施例のような保護面を設けなくても安定な結合を実現でき、また、他人から一つの針物などで開こうとする盗難への防止、および任意接続の防止の効果を得られる。
第５実施例では、離間部材４に合わせた使用状態は、第１実施例と同じであるため、ここでは説明を省略する。
【００２４】
本考案に係るコネクタロックの構造は、接続ポート１とフック部２とロック部３との組み合わせで、該接続ケーブル７を着脱できることを特徴とする。
そのうち、ロック部３は、スライド槽１２の延在方向に沿って移動し、ロック部３が第１位置９１まで位置する場合、バー部材３１がフック２２１と接続し、ロック部３が第２位置９２まで位置する場合、バー部材３１がフック２２１から離脱される。
【００２５】
本考案に係るコネクタロックの構造は、構造の簡潔化、組立容易、盗難への有効防止且つ実施便利の特長を有し、離間部材４に合わせて接続ケーブル７とコネクタロックの構造とを着脱できるので、接続ケーブル７の盗難防止の目的を確実に達成できる。ひいて、本考案の実用性及び便利性が向上される。
【００２６】
本考案に係るコネクタロックの構造は、上記実施例において様々な変化を有するが、実際に使用する時に、コネクタロックの構造は、接続ポート、フック部及びロック部のみ含めれば良い。
接続ポート１は、収容空間１１とスライド槽１２とを有し、スライド槽１２は、収容空間１１の一方の側面１１１に位置される。
フック部２は、少なくとも一つの固定端２１を有し、接続ポート１の一端面１３に隣接し、且つ、少なくとも一つのフック２２１を有する。
ロック部３は、バー部材３１と板部材３２とを有し、バー部材３１は、板部材３２の側縁に位置される。
ロック部３は、スライド槽１２の延在の方向に沿って移動し、ロック部３が第１位置９１に位置すると、バー部材３１はフック２２１と接続し、ロック部３が第２位置９２に位置すると、バー部材３１はフック２２１から離脱される。
よって、本考案は、構造の簡潔化、組立容易、盗難への有効防止及び任意接続への有効防止且つ実施便利の特長を備える。
【００２７】
以上の説明は単に本考案の好ましい実施例に過ぎず、本考案の実用新案登録請求の範囲を限定するものではない。当該技術分野における通常の知識を有する者が、適宜行う変更や修飾等も本考案に含まれるべきことは言うまでもないことである。
【符号の説明】
【００２８】
１・・・・・・接続ポート
２・・・・・・フック部
３・・・・・・ロック部
４・・・・・・離間部材
５・・・・・・端子座
７・・・・・・接続ケーブル
８・・・・・・組立部
１１・・・・・収容空間
１２・・・・・スライド槽
１３・・・・・端面
１４・・・・・係合溝
１５・・・・・組み合わせ溝
２１・・・・・固定端
２２・・・・・自由端
２３・・・・・保護面
２４・・・・・端面
３１・・・・・バー部材
３２・・・・・板部材
４１・・・・・凸部
４２・・・・・第１Ｕ字状端
４３・・・・・第２Ｕ字状端
４２１・・・・第１開口
４３１・・・・第２開口
５１・・・・・端面
５２・・・・・係止部材
６１・・・・・リード線
７１・・・・・突出端
８１・・・・・組み合わせ端
９１・・・・・第１位置
９２・・・・・第２位置
１１１・・・・側面
１１２・・・・他方の側面
１２１・・・・スライド溝
１２２・・・・ガイド
２２０・・・・上端
２２１・・・・フック
２２２・・・・第１上端
２２３・・・・第２上端
２２４・・・・第１フック
２２５・・・・第２フック
３１１・・・・第２ガイド面
３１２・・・・ストッパ
３２１・・・・貫通孔
４２１・・・・第１開口
４２２・・・・第１位置規制辺
４３１・・・・第２開口
４３２・・・・第２位置規制辺
２２０１・・・突出部
２２１１・・・第１ガイド面
ｄ・・・・・・ピッチ
【図１】
0003162596.tif 000003
【図２】
0003162596.tif 000004
【図３】
0003162596.tif 000005
【図４】
0003162596.tif 000006
【図５】
0003162596.tif 000007
【図６】
0003162596.tif 000008
【図７】
0003162596.tif 000009
【図７Ａ】
0003162596.tif 000010
【図８】
0003162596.tif 000011
【図９】
0003162596.tif 000012
【図１０】
0003162596.tif 000013
【図１０Ａ】
0003162596.tif 000014
【図１０Ｂ】
0003162596.tif 000015
【図１０Ｃ】
0003162596.tif 000016
【図１１Ａ】
0003162596.tif 000017
【図１１Ｂ】
0003162596.tif 000018
【図１１Ｃ】
0003162596.tif 000019
【図１２】
0003162596.tif 000020
【図１３】
0003162596.tif 000021
【図１４】
0003162596.tif 000022
【図１５】
0003162596.tif 000023
【図１６】
0003162596.tif 000024
【図１７】
0003162596.tif 000025
【図１８Ａ】
0003162596.tif 000026
【図１８Ｂ】
0003162596.tif 000027